(57)【要約】【課題】高電圧、直流に対応したコネクタを提供する。【解決手段】他のコネクタと接続される接続端子が設けられているコネクタであって、固定接点と、可動板部の一方の端部に設けられた可動接点と、前記可動板部を動作させるカードと、前記カードを動作させるボタンと、前記ボタンを動作させるスライド部と、を有し、前記接続端子と前記可動接点または前記固定接点とが接続されており、前記他のコネクタにおける他の接続端子と前記コネクタにおける前記接続端子とを接触させた状態で、前記他のコネクタの一部と前記スライド部とを接触させ、前記他のコネクタの一部により前記スライド部を押して、前記スライド部をスライドさせることにより、前記ボタンを動作させ、前記ボタンを動作させることにより、前記カードを介し前記可動板部を動作させ、前記固定接点と前記可動接点とを接触させることを特徴とするコネクタを提供することにより上記課題を解決する。【選択図】  図１１
2015128005.tif 000002
【特許請求の範囲】
【請求項１】
他のコネクタと接続される接続端子が設けられているコネクタであって、
固定接点と、
可動板部の一方の端部に設けられた可動接点と、
前記可動板部を動作させるカードと、
前記カードを動作させるボタンと、
前記ボタンを動作させるスライド部と、
を有し、
前記接続端子と前記可動接点または前記固定接点とが接続されており、
前記他のコネクタにおける他の接続端子と前記コネクタにおける前記接続端子とを接触させた状態で、
前記他のコネクタの一部と前記スライド部とを接触させ、前記他のコネクタの一部により前記スライド部を押して、前記スライド部をスライドさせることにより、前記ボタンを動作させ、
前記ボタンを動作させることにより、前記カードを介し前記可動板部を動作させ、前記固定接点と前記可動接点とを接触させることを特徴とするコネクタ。
【請求項２】
前記固定接点及び前記可動接点は、各々複数設けられていることを特徴とする請求項１に記載のコネクタ。
【請求項３】
前記スライド部の一方の側には、前記他のコネクタの前記他の接続端子の周囲に設けられた縁部と接触する部分にスライド傾斜部が形成されており、
前記縁部により、前記スライド傾斜部が押され前記スライド部がスライドし、前記ボタンを動作させることを特徴とする請求項１または２に記載のコネクタ。
【請求項４】
前記スライド部の他方の側には、前記ボタンと接触する突起部が設けられており、
前記ボタンには、傾斜部が設けられており、
前記コネクタと前記他のコネクタとが離れる際には、前記スライド部における前記突起部が前記傾斜部を移動することを特徴とする請求項１から３のいずれかに記載のコネクタ。
【請求項５】
前記コネクタは、プラグコネクタであって、
前記接続端子は、プラグ端子であって、
前記他のコネクタは、ジャックコネクタであって、
前記他の接続端子は、ジャック端子であることを特徴とする請求項１から４のいずれかに記載のコネクタ。
【請求項６】
請求項１から５のいずれかに記載のコネクタと、
前記他のコネクタと、
を有することを特徴とするコネクタ。
【発明の詳細な説明】
【技術分野】
【０００１】
本発明は、コネクタに関する。
【背景技術】
【０００２】
一般的に電気機器は、電源等より電力の供給を受け動作するものであり、電源より電力の供給を受ける際には、通常コネクタを介し電源より電気機器へ電力が供給される。この際用いられるコネクタは、特許文献１、２に開示されているように、凸状の雄型タイプのコネクタと、凹状の雌型タイプのコネクタを嵌合することにより、電気的に接続を行うものである。
【０００３】
一方、近年では、地球温暖化等に対する対策の一つとして、ローカルエリアにおける送電においても、電圧変換や送電等における電力損失が少なく、ケーブルの太さも太くする必要のない、直流で高電圧の電力の供給が検討されている。特に、サーバ等の情報機器においては、大量に電力を消費するため、このような電力供給が望ましいものとされている。
【０００４】
ところで、電気機器に供給される電力に関しては、電圧が高いと人体に影響を及ぼす場合や、電子部品の動作に影響を与える場合がある。
【０００５】
このような高電圧の電力をサーバ等の情報機器に用いる場合、装置の設置やメンテナンスの際においては、人により作業が行われるため、電気的接続がされている部分であるコネクタは、通常の交流の商用電源に用いられるコネクタとは異なるものとする必要がある。
【先行技術文献】
【特許文献】
【０００６】
【特許文献１】特開平５−８２２０８号公報
【特許文献２】特開２００３−３１３０１号公報
【特許文献３】特開２０１２−１０４４４８号公報
【発明の概要】
【発明が解決しようとする課題】
【０００７】
また、スイッチを組み込んだ構成のコネクタでは、電源から供給される電圧が１００Ｖ以上の場合、または、高電圧で直流である場合、現在使用されているスイッチをそのまま用いることはできない。例えば、電源から供給される電力が直流４００Ｖの場合、現在の交流１００Ｖに用いられているスイッチでは、十分な安全性や信頼性が確保されていないため、そのまま使用することは危険である。
【０００８】
よって、本発明は、上記に鑑みてなされたものであり、高電圧の電力を安全に供給することが可能なコネクタを提供することを目的とするものである。
【課題を解決するための手段】
【０００９】
本実施の形態の一観点によれば、他のコネクタと接続される接続端子が設けられているコネクタであって、固定接点と、可動板部の一方の端部に設けられた可動接点と、前記可動板部を動作させるカードと、前記カードを動作させるボタンと、前記ボタンを動作させるスライド部と、を有し、前記接続端子と前記可動接点または前記固定接点とが接続されており、前記他のコネクタにおける他の接続端子と前記コネクタにおける前記接続端子とを接触させた状態で、前記他のコネクタの一部と前記スライド部とを接触させ、前記他のコネクタの一部により前記スライド部を押して、前記スライド部をスライドさせることにより、前記ボタンを動作させ、前記ボタンを動作させることにより、前記カードを介し前記可動板部を動作させ、前記固定接点と前記可動接点とを接触させることを特徴とする。
【発明の効果】
【００１０】
本発明によれば、現状の商用電源の電圧よりも高い電圧の電源、または、直流電源に対応したコネクタであって、これらの電源からの電力を安全に供給することが可能なコネクタを提供することができる。
【図面の簡単な説明】
【００１１】
【図１】本実施の形態に用いられるプラグコネクタの斜視図
【図２】本実施の形態におけるプラグコネクタの斜視図
【図３】プラグコネクタとジャックコネクタとが接続される前の斜視図
【図４】プラグコネクタとジャックコネクタとが接続される前の断面図（１）
【図５】プラグコネクタとジャックコネクタとが接続される前の断面図（２）
【図６】プラグコネクタとジャックコネクタとが接続される前の断面図（３）
【図７】本実施の形態におけるプラグコネクタの内部構造の斜視図
【図８】スイッチ部の構造図（オフ状態）
【図９】スイッチ部の構造図（オン状態）
【図１０】スイッチ部におけるボタンの斜視図
【図１１】本実施の形態におけるプラグコネクタの内部構造の断面斜視図
【図１２】スライド部の斜視図（１）
【図１３】スライド部の斜視図（２）
【図１４】プラグコネクタとジャックコネクタとの接続途中における斜視図
【図１５】プラグコネクタとジャックコネクタとの接続途中における断面図（１）
【図１６】プラグコネクタとジャックコネクタとの接続途中における断面図（２）
【図１７】プラグコネクタとジャックコネクタとの接続途中における断面図（３）
【図１８】プラグコネクタとジャックコネクタとが接続されている斜視図
【図１９】プラグコネクタとジャックコネクタとが接続されている断面図（１）
【図２０】プラグコネクタとジャックコネクタとが接続されている断面図（２）
【図２１】プラグコネクタとジャックコネクタとが接続されている断面図（３）
【図２２】プラグコネクタとジャックコネクタとが離れる途中の斜視図
【図２３】プラグコネクタとジャックコネクタとが離れる途中の断面図（１）
【図２４】プラグコネクタとジャックコネクタとが離れる途中の断面図（２）
【図２５】プラグコネクタとジャックコネクタとが離れる途中の断面図（３）
【発明を実施するための形態】
【００１２】
本発明を実施するための形態について、以下に説明する。尚、同じ部材等については、同一の符号を付して説明を省略する。
【００１３】
（コネクタの構造）
本実施の形態におけるコネクタの構造について説明する。本実施の形態におけるコネクタは、図１に示される他のコネクタであるプラグコネクタと接続されるものであって、図２に示される構造のジャックコネクタに相当する。他のコネクタであるプラグコネクタには他の接続端子となる複数のプラグ端子が設けられており、ジャックコネクタには他の接続端子と接続される接続端子となる複数のジャック端子が設けられている。
【００１４】
尚、本実施の形態においては、図１に示されるプラグコネクタと、図２に示されるジャックコネクタに相当するコネクタとをあわせてコネクタと記載する場合がある。また、図３は、プラグコネクタとジャックコネクタとの嵌合前の状態における斜視図であり、図４から図６は、プラグコネクタとジャックコネクタとの嵌合前の状態における異なる断面の断面斜視図である。図７は、ジャックコネクタの内部の構造を示す斜視図である。
【００１５】
最初に、図１に基づきプラグコネクタ１００について説明する。プラグコネクタ１００には、プラグ筐体部１１０において、後述するジャックコネクタ２００に、挿入されるプラグ端子１２１、１２２、１２３が設けられている。また、プラグ筐体部１１０のプラグ端子１２１、１２２、１２３が設けられている側とは反対側には、電力を供給するための電源ケーブル１３０が接続されている。プラグコネクタ１００においては、プラグ端子１２１、１２２、１２３の周囲を囲むように、縁部１１１が形成されている。尚、プラグ端子１２１はＧＮＤ端子であり、プラグ端子１２２、１２３よりも長く形成されている。プラグ筐体部１１０は樹脂材料等の絶縁材料により形成されており、縁部１１１はプラグ筐体部１１０の一部として形成されている。
【００１６】
次に、図２から図７に基づきジャックコネクタ２００について説明する。ジャックコネクタ２００は、ジャック筐体部２１０を有しており、ジャック筐体部２１０には、ジャック開口部２２１、２２２、２２３が設けられている。ジャックコネクタ２００においては、ジャック開口部２２１、２２２、２２３の内部に、図７等に示されるように、プラグコネクタ１００におけるプラグ端子１２１、１２２、１２３と接続されるジャック端子２３１、２３２、２３３が設けられている。
【００１７】
従って、プラグコネクタ１００のプラグ端子１２１は、ジャックコネクタ２００のジャック開口部２２１の内部に設けられたジャック端子２３１と接続され、プラグコネクタ１００のプラグ端子１２２は、ジャックコネクタ２００のジャック開口部２２２の内部に設けられたジャック端子２３２と接続され、プラグコネクタ１００のプラグ端子１２３は、ジャックコネクタ２００のジャック開口部２２３の内部に設けられたジャック端子２３３と接続される。また、ジャック開口部２２１、２２２、２２３の周囲には、プラグコネクタ１００における縁部１１１が入り込むことのできる溝部２１１が形成されている。尚、ジャックコネクタ２００のジャック開口部２２１の内部に設けられたジャック端子２３１はＧＮＤ端子である。
【００１８】
また、本実施の形態におけるジャックコネクタ２００は、ジャック筐体部２１０の内部に、後述する図８及び図９に示されるスイッチ部３００を有している。このスイッチ部３００は、ジャックコネクタ２００におけるジャック端子２３２に対応する金属端子、ジャック端子２３３に対応する金属端子、ジャック端子２３１に対応する金属端子が設けられている。尚、ジャック端子２３２に対応する金属端子及びジャック端子２３３に対応する金属端子より、電力の供給がなされる。スイッチ部３００におけるスイッチの接点が閉じることにより、各々のジャック端子２３２、２３３とこれに対応する金属端子とが電気的に接続され、電力が供給される。また、スイッチ部３００におけるスイッチが開くことにより、各々のジャック端子２３２、２３３とこれに対応する金属端子との電気的な接続が解除され、電力の供給が停止する。
【００１９】
本実施の形態においては、図７から図９に示されるスイッチ部３００におけるボタン３６０の押下により、スイッチ部３００におけるスイッチが閉じ電力が供給される。この際、ジャックコネクタ２００の内部に設けられたスライド部２５０がスライド動作することにより、スライド部２５０によりボタン３６０が下方に押され、スイッチ部３００におけるスイッチが閉じ、ジャック端子２３２、２３３を介し、プラグコネクタ１００に電力が供給される。尚、図４から図６の状態においては、スライド部２５０は図示左側に位置している。
【００２０】
（スイッチ部）
次に、図８及び図９に基づき、ジャックコネクタ２００内に設けられているスイッチ部３００について説明する。本実施の形態におけるコネクタのスイッチ部３００は、電力の供給の制御を行なうためのスイッチであって、電源スイッチとも称される。尚、スイッチ部３００における固定部３１０と可動部３２０の対は、ジャック端子２３２、２３３の各々に対応して設けられており、合わせて２つ設けられている。
【００２１】
図８及び図９に示されるように、スイッチ部３００は、固定部３１０と可動部３２０とを有し、固定部３１０における固定接点３１１と可動部３２０における可動接点３２１とが接触するか否かにより、電源の供給のオン、オフの制御を行なうことができるものである。
【００２２】
固定部３１０は、全体が金属等の導電性材料により形成されており、可動部３２０における可動接点３２１と接触する固定接点３１１が、固定バネ３１２の一方の端部に設けられている構造のものである。尚、固定バネ３１２は、銅又は銅を含む合金等からなる金属板等を折曲げることにより形成されており、固定接点３１１は銀と銅の合金により形成されている。固定バネ３１２の他方の端部はベースブロック３３０におけるベースブロック本体部３３１に固定されるとともに、固定バネ３１２の中程の部分は、固定部支持部３３２に支持され固定されている。
【００２３】
可動部３２０は、全体が金属等の導電性材料により形成されており、固定部３１０における固定接点３１１と接触する可動接点３２１が可動板部３２２の一方の端部に設けられ、可動板部３２２の他方の端部と可動バネ３２３の一方の端部とが接続された構造のものである。尚、可動板部３２２及び可動バネ３２３は銅又は銅を含む合金等からなる金属板等を折曲げることにより形成されており、可動接点３２１は銀と銅の合金により形成されている。可動バネ３２３の他方の端部はベースブロック３３０におけるベースブロック本体部３３１に固定されている。可動バネ３２３は、金属板等を折曲げることにより形成されているものであるため柔軟性を有しており、可動板部３２２の一方の端部に設けられた可動接点３２１を上下方向に動かすことが可能である。また、ベースブロック３３０には、固定バネ３１２の他方の端部が接続されている部分と、可動バネ３２３の他方の端部が接続されている部分との間に難燃性の樹脂材料等からなる絶縁壁３３３が設けられており、可動バネ３２３は、他方の端部より絶縁壁３３３の周囲の一部を回り込むような形状で曲げられている。
【００２４】
可動部３２０における可動板部３２２の一方の面となる上面は、カード３４０における第１の接触部となる上部接触部３４１と接触しており、可動板部３２２の他方の面となる下面は、カード３４０における第２の接触部となる下部接触部３４２と接触している。この状態において、回転軸３４３を中心にカード３４０を回転させることにより、可動板部３２２が上部接触部３４１または下部接触部３４２と接触した状態で可動板部３２２に力が加わり、可動接点３２１を上下方向に移動させることができる。尚、上部接触部３４１及び下部接触部３４２は、可動板部３２２において摺動するものであるため、摩擦抵抗を低減させるために上部接触部３４１及び下部接触部３４２の表面には、フッ素樹脂等により形成された表面層を設けてもよい。
【００２５】
また、固定部３１０及び可動部３２０は、ベースブロック３３０とスイッチ部ケース３５０に囲まれた領域の内部に設置されている。カード３４０は、スイッチ部ケース３５０に設けられたスイッチ部開口部３５１より外部に飛び出した形状の突起部３４４と、ベースブロック３３０とスイッチ部ケース３５０に囲まれた領域の内部に位置するカード本体部３４５とを有している。従って、スイッチ部３００においては、上部接触部３４１または下部接触部３４２は、ベースブロック３３０とスイッチ部ケース３５０に囲まれた領域の内部に設けられている。また、カード３４０、ベースブロック３３０及びスイッチ部ケース３５０は樹脂材料等からなる絶縁体材料により形成されている。
【００２６】
スイッチ部ケース３５０の外部には、回転軸３４３を中心にカード３４０を回転させるために押下されるボタン３６０が設けられており、カード３４０は、カード３４０における突起部３４４の上部に設けられた接触部３４４ａにおいて、ボタン３６０の内壁部３６１と接触している。尚、接触部３４４ａは、内壁部３６１の表面を摺動するものであるため、摩擦抵抗を低減させるために内壁部３６１の表面には、フッ素樹脂等により形成された表面層を設けてもよい。また、スイッチ部ケース３５０の外部には、一方の端部がスイッチ部ケース３５０に接続され、他方の端部がボタン３６０に接続された開離バネ３７０が設けられている。
【００２７】
本実施の形態においては、ボタン３６０の上側には、図１０にも示されているボタン突起部３６５が形成されている。ボタン突起部３６５は、下部平坦部３６９より、図１０図示上方に飛び出した構造のものであり、ボタン突起部３６５の上部は上部平坦部３６６となっており平坦に形成されている。ボタン突起部３６５において、上部平坦部３６６より下部平坦部３６９に向かう側面は、傾斜が急な急傾斜部３６７と傾斜が緩やかな緩傾斜部３６８とが形成されている。尚、図１０は、ボタン３６０の斜視図である。
【００２８】
（スライド部）
次に、スライド部２５０について、図７、図１１、図１２、図１３に基づき説明する。尚、図１１は、ジャックコネクタの内部の構造を示す断面斜視図であり、図１２、図１３は、スライド部２５０の斜視図である。
【００２９】
本実施の形態においては、プラグコネクタの挿入によってジャックコネクタ２００の内部に設けられたスライド部２５０がスライド動作することにより、ボタン３６０が押され、スイッチ部３００においてオン動作がなされる。
【００３０】
スライド部２５０の一方の面（図７図示の上面、図１３図示の面）には、上側突起部２５１が形成されている。上側突起部２５１の上端には平坦な上面部２５２が形成されており、上面部２５２の端から下側に向かって傾斜しているスライド傾斜部２５３が形成されている。スライド傾斜部２５３における傾斜は、下側の端の傾斜端部２５４まで形成されている。また、スライド部２５０の他方の面（図１２図示の面）には、下側突起部２５６が形成されている。図１２に示すように、下側突起部２５６は略円形に形成されており、一部略円形の部分より張出している張出部２５７が形成されている。尚、下側突起部２５６と張出部２５７とは、頂となる部分の高さが同じ高さとなるように形成されている。
【００３１】
本実施の形態においては、図７及び図１１に示される状態で、ジャックコネクタ２００にプラグコネクタ１００が挿入されることにより、プラグコネクタ１００における縁部１１１がスライド傾斜部に接触し、スライド部２５０における上側突起部２５１のスライド傾斜部２５３が押される。これにより、スライド部２５０が図７図示右方向にスライドし、縁部１１１とスライド部２５０の傾斜端部２５４とが接触するまでスライド部２５０がスライドした後、スライド部２５０におけるスライドは終了する。尚、スライド部２５０におけるスライドに応じて、スライド部２５０によりボタン３６０が押下され、これによりカード３４０が下方に回転する。この後、プラグコネクタ１００の縁部１１１は、プラグ端子１２１、１２２、１２３とともに、更にジャックコネクタ２００の内部に入り込むことにより、スイッチ部３００におけるスイッチがオンとなり、プラグコネクタ１００に電力の供給がなされる。
【００３２】
（スイッチ部におけるオンオフ動作）
スイッチ部３００において、スイッチをオンにする場合には、プラグコネクタ１００をジャックコネクタ２００に挿入する。これにより、ボタン３６０が押され、ボタン３６０の内壁部３６１において接触部３４４ａが接触しているカード３４０が回転軸３４３を中心に回転し、上部接触部３４１を介し可動部３２０における可動板部３２２に下方向に力が加えられ、可動接点３２１と固定接点３１１とが接触する。この状態を図９に示す。これにより、可動接点３２１と固定接点３１１との接触が維持され、電源からの電力がプラグコネクタ１００の側に供給される。
【００３３】
また、スイッチ部３００において、スイッチをオフにする場合には、後述するように、ジャックコネクタ２００からプラグコネクタ１００を抜くことにより、ボタン３６０を押している力がなくなるため、開離バネ３７０の弾性及び可動バネ３２３の弾性による復元力により、ボタン３６０がオフの状態に戻る。即ち、図９の状態から図８に示されるようにボタンが上方に移動すると、ボタン３６０の内壁部３６１において上部接触部３４１が接触しているカード３４０が回転軸３４３を中心に回転し、下部接触部３４２を介し可動部３２０における可動板部３２２に上方向に力が加わる。このように可動板部３２２に加えられた上方向の力により可動接点３２１と固定接点３１１との接触を離すことができ、電源からの電力の供給を停止することができる。この際、可動接点３２１と固定接点３１１との間でアークが発生する場合があるため、磁界の力によりアークを飛ばすことができるように、可動接点３２１と固定接点３１１との接触位置の近傍には、アークの発生する方向に対して略垂直方向の磁界を発生させる永久磁石３８０が設けられている。尚、ボタン３６０が開離バネ３７０の復元力により、元の状態、即ち、上に持ち上げられると、カード３４０も連動して上に持ち上げられ、固定接点３１１から可動接点３２１が離れる。カード３４０が連動して上に持ち上げられる際には、可動バネ３２３の復元力により持ち上げられてもよい。
【００３４】
また、スイッチ部３００では、ベースブロック３３０において、固定バネ３１２の他方の端部が接続されている部分と、可動バネ３２３の他方の端部が接続されている部分との間には、絶縁壁３３３が設けられている。これにより、固定部３１０・可動部３２０で熱による溶解等が進行した場合においても、固定部３１０と可動部３２０とが絶縁壁３３３により分離される。よって、固定部３１０と可動部３２０とが、溶解によって、くっついた状態のまま電流が流れ続けてしまうことを防ぐことができる。
【００３５】
尚、スイッチ部３００において、ゴミ等がベースブロック３３０とスイッチ部ケース３５０に囲まれた領域に侵入すると、固定接点３１１と可動接点３２１との間でショートまたは接触不良となる場合等がある。従って、スイッチ部３００がオフの状態においては、ベースブロック３３０とスイッチ部ケース３５０に囲まれた領域へのゴミ等の侵入を防ぐため、スイッチ部ケース３５０におけるスイッチ部開口部３５１を塞ぐようにカード３４０のカード本体部３４５の上面が接触して押し当てられるように形成されている。これにより、スイッチ部３００がオフ状態において、スイッチ部開口部３５１からスイッチ部ケース３５０の内部にゴミ等が侵入することを防ぐことができる。
【００３６】
また、スイッチ部３００がオンの状態においては、ベースブロック３３０とスイッチ部ケース３５０に囲まれた領域へのゴミ等の侵入を防ぐため、スイッチ部ケース３５０におけるスイッチ部開口部３５１近傍に形成された壁部３５２と、ボタン３６０に形成されたコの字状の端部３６２が設けられている。スイッチ部３００がオン状態においては、スイッチ部ケース３５０における壁部３５２をボタン３６０に設けられたコの字状の端部３６２が覆うように形成されており、壁部３５２と端部３６２により塞ぐことができる。これにより、スイッチ部３００がオン状態において、スイッチ部開口部３５１からスイッチ部ケース３５０の内部にゴミ等が侵入することを防ぐことができる。
【００３７】
（コネクタの接続方法）
次に、本実施の形態におけるコネクタの接続方法について説明する。具体的には、図３から図６に示されるように、プラグコネクタ１００とジャックコネクタ２００とが離れている状態から、プラグコネクタ１００とジャックコネクタ２００とが嵌合し、電気的に接続される状態となるまでを順に説明する。尚、下記においては、プラグ端子１２１とジャック端子２３１及び、プラグ端子１２３とジャック端子２３３とが接続される場合等について説明するが、プラグ端子１２２と、このプラグ端子１２２に対応するジャック端子２３２とが接続される場合についても同様である。
【００３８】
最初に、図３から図６に示す状態から、プラグコネクタ１００におけるプラグ端子１２１、１２２、１２３をジャックコネクタ２００におけるジャック開口部２２１、２２２、２２３に挿入することにより、図１４から図１７に示す状態となる。尚、図１４は、この状態におけるプラグコネクタとジャックコネクタの斜視図である。また、図１５から図１７は、この状態におけるプラグコネクタとジャックコネクタの異なる断面の断面斜視図である。図１５は図４に対応する断面であり、図１６は図５に対応する断面であり、図１７は図６に対応する断面である。
【００３９】
これにより、プラグコネクタ１００におけるプラグ端子１２１とジャックコネクタ２００のジャック開口部２２１内におけるジャック端子２３１とが接触し、プラグコネクタ１００におけるプラグ端子１２３とジャックコネクタ２００のジャック開口部２２３内におけるジャック端子２３３とが接触する。この際、プラグコネクタ１００における縁部１１１も、ジャックコネクタ２００における溝部２１１に入り込み、ジャックコネクタ２００のスライド部２５０における上側突起部２５１のスライド傾斜部２５３と接触する。但し、図１４から図１７の状態においては、上側突起部２５１のスライド傾斜部２５３はプラグコネクタ１００における縁部１１１の先端と接触しているだけであり、スライド部２５０は図示右方向にはスライド移動してはいない。尚、スライド部２５０には、外から力が加わらなければ、元の状態（図３から図７の位置）が維持されるように、不図示のバネ等の弾性体が接続されている。即ち、ジャックコネクタ２００においては、スライド部２５０が、図３から図６に示す状態が維持される方向、即ち、図７においてスライド部２５０が左方向に動く方向に復元力が働く不図示のバネ等の弾性体が設けられている。
【００４０】
従って、図１４から図１７の状態においては、プラグコネクタ１００におけるプラグ端子１２１とジャックコネクタ２００におけるジャック端子２３１とが接触しており、プラグコネクタ１００におけるプラグ端子１２３とジャックコネクタ２００におけるジャック端子２３３とが接触している。しかしながら、スイッチ部３００における可動接点３２１と固定接点３１１とが接触していないため、スイッチ部３００はオフであり、プラグコネクタ１００側には電力は供給されない。尚、この状態においては、上述したように、スライド部２５０における上側突起部２５１のスライド傾斜部２５３において、プラグコネクタ１００における縁部１１１の先端と接触している。また、スライド部２５０における下側突起部２５６の端部は、ボタン３６０における下部平坦部３６９と接触している。
【００４１】
この後、図１４から図１７に示す状態から、プラグコネクタ１００におけるプラグ端子１２１、１２２、１２３をジャックコネクタ２００におけるジャック開口部２２１、２２２、２２３に、更に挿入することにより、図１８から図２１に示す状態となる。尚、図１８は、この状態におけるプラグコネクタとジャックコネクタの斜視図である。また、図１９から図２１は、図１８の状態におけるプラグコネクタとジャックコネクタの異なる断面の断面斜視図である。図１９は図４に対応する断面であり、図２０は図５に対応する断面であり、図２１は図６に対応する断面である。
【００４２】
これにより、プラグコネクタ１００におけるプラグ端子１２１は、ジャックコネクタ２００のジャック開口部２２１内におけるジャック端子２３１の奥に、ジャック端子との接触が維持された状態のまま入り込む。また、プラグコネクタ１００におけるプラグ端子１２３は、ジャックコネクタ２００のジャック開口部２２３内におけるジャック端子２３３の奥に、ジャック端子との接触が維持された状態のまま入り込む。
【００４３】
この際、プラグコネクタ１００における縁部１１１も、ジャックコネクタ２００における溝部２１１の奥に入り込み、プラグコネクタ１００の押込みによってジャックコネクタ２００のスライド部２５０における上側突起部２５１のスライド傾斜部２５３が縁部１１１の先端部分により押される。このように縁部１１１の先端部分によりスライド傾斜部２５３が押されることにより、縁部１１１の先端部分が、スライド部２５０の傾斜端部２５４の位置に達するまで、スライド部２５０を図示右側にスライドさせる。図２０は、縁部１１１が傾斜端部２５４に達した状態を示している。
【００４４】
これにより、スライド部２５０における下側突起部２５６または張出部２５７は、ボタン３６０の急傾斜部３６７と接触し、更に、スライド部２５０が、図示右側にスライドすることにより、下側突起部２５６または張出部２５７によってボタン３６０に下方向に力が加わり、ボタン３６０の上部平坦部３６６の上に下側突起部２５６及び張出部２５７が移動する。これにより、ボタン３６０が押され、カードが回転することで、スイッチ部３００における可動接点３２１と固定接点３１１とが接触する。尚、プラグコネクタ１００におけるプラグ端子１２３は、ジャックコネクタ２００のジャック端子２３３とすでに接触しており、スイッチ部の可動接点と固定接点とが接触することによって、ジャックコネクタ２００からプラグコネクタ１００側に電力が供給される。
【００４５】
次に、電力供給を停止する場合、つまりプラグコネクタ１００をジャックコネクタ２００から抜く場合について説明する。最初に、図１８から図２１に示す状態から、プラグコネクタ１００をジャックコネクタ２００から少し離すことにより、図２２から図２５に示す状態となる。尚、図２２は、この状態におけるプラグコネクタとジャックコネクタの斜視図である。また、図２３から図２５は、この状態におけるプラグコネクタとジャックコネクタの異なる断面の断面斜視図である。図２３は図４に対応する断面であり、図２４は図５に対応する断面であり、図２５は図６に対応する断面である。
【００４６】
これにより、プラグコネクタ１００とジャックコネクタ２００とは少し離れるが、プラグコネクタ１００におけるプラグ端子１２１と、ジャックコネクタ２００のジャック開口部２２１内におけるジャック端子２３１との接触は維持されており、同様に、プラグコネクタ１００におけるプラグ端子１２３と、ジャックコネクタ２００のジャック開口部２２３内におけるジャック端子２３３との接触は維持されている。
【００４７】
この状態においては、プラグコネクタ１００における縁部１１１の先端かつ外側の部分は、ジャックコネクタ２００のスライド部２５０の上側突起部２５１における傾斜端部２５４と接触している。このため、ボタン３６０は押されている状態にあり、スイッチ部３００における可動接点３２１と固定接点３１１との接触が維持されている。従って、この状態においては、プラグコネクタ１００とジャックコネクタ２００においては、プラグ端子１２１とジャック端子２３１との接触が維持され、プラグ端子１２３とジャック端子２３３との接触が維持されているため、プラグコネクタ１００側に電力が供給される。
【００４８】
この後、更に、プラグコネクタ１００をジャックコネクタ２００から抜くことにより、図１４から図１７に示す状態となる。尚、縁部１１１の先端が傾斜端部２５４と接触しない状態になると、スライド部２５０がバネ力によって図示左方向に復帰・スライドし始める。尚、以下の本段落の動作は、この動作を前提としている。この際、スライド部２５０における下側突起部２５６の張出部２５７が、ボタン３６０のボタン突起部３６５における急傾斜部３６７を滑るように移動する。これにより、ボタン３６０の下部平坦部３６９にスライド部２５０の下側突起部２５６が移動し、ボタン３６０を押している力が解除されるため、ボタン３６０は上に動き、元の位置に戻る。
【００４９】
このようにボタン３６０が元の位置に戻ることにより、スイッチ部３００における可動接点３２１と固定接点３１１とが離れ、可動接点３２１と固定接点３１１とが接触していない状態となる。この状態においては、プラグコネクタ１００におけるプラグ端子１２３は、ジャックコネクタ２００のジャック端子２３３との接触は維持されているものの、プラグコネクタ１００側への電力の供給は遮断される。
【００５０】
この後、更に、プラグコネクタ１００とジャックコネクタ２００とを離すことにより、図３から図６に示す状態となり、プラグ端子１２１とジャック端子２３１との接触及びプラグ端子１２３とジャック端子２３３との接触が離れる。この際、プラグ端子１２１とジャック端子２３１との接触及び、プラグ端子１２３とジャック端子２３３との接触が離れる前には、既に、スイッチ部３００における可動接点３２１と固定接点３１１とが離れているため、プラグコネクタ１００への電力の供給が遮断されている。よって、プラグ端子１２１とジャック端子２３１との接触及び、プラグ端子１２３とジャック端子２３３との接触が離れる際にアーク等が発生することはない。
【００５１】
尚、本実施の形態においては、スライド部２５０における下側突起部２５６の張出部２５７が、ボタン３６０のボタン突起部３６５における急傾斜部３６７を移動するため、張出部２５７と急傾斜部３６７との接触状態が解除されると、ボタン３６０が瞬時に上方に移動し、瞬時に電力の供給を遮断することができる。尚、本実施の形態においては、急傾斜部３６７における傾斜角度を変えることにより、電力の供給を遮断する速度等を調節することができる。
【００５２】
以上、本発明の実施に係る形態について説明したが、上記内容は、発明の内容を限定するものではない。
【符号の説明】
【００５３】
１００      プラグコネクタ
１１０      プラグ筐体部
１１１      縁部
１２１      プラグ端子
１２２      プラグ端子
１２３      プラグ端子
１３０      電源ケーブル
２００      ジャックコネクタ
２１０      ジャック筐体部
２１１      溝部
２２１      ジャック開口部
２２２      ジャック開口部
２２３      ジャック開口部
２３１      ジャック端子
２３２      ジャック端子
２３３      ジャック端子
２５０      スライド部
２５１      上側突起部
２５２      上面部
２５３      スライド傾斜部
２５４      傾斜端部
２５６      下側突起部
２５７      張出部
３００      スイッチ部
３１０      固定部
３１１      固定接点
３１２      固定バネ
３２０      可動部
３２１      可動接点
３２２      可動板部
３２３      可動バネ
３３０      ベースブロック
３３１      ベースブロック本体部
３３２      固定部支持部
３３３      絶縁壁
３４０      カード
３４１      上部接触部（第１の接触部）
３４２      下部接触部（第２の接触部）
３４３      回転軸
３４４      突起部
３４４ａ    接触部
３４５      カード本体部
３５０      スイッチ部ケース
３５１      スイッチ部開口部
３５２      壁部
３６０      ボタン
３６１      内壁部
３６２      端部
３６３      ボタン接触部
３６５      ボタン突起部
３６６      上部平坦部
３６７      急傾斜部
３６８      緩傾斜部
３６９      下部平坦部
３７０      開離バネ
３８０      永久磁石
【図１】
2015128005.tif 000003
【図２】
2015128005.tif 000004
【図３】
2015128005.tif 000005
【図４】
2015128005.tif 000006
【図５】
2015128005.tif 000007
【図６】
2015128005.tif 000008
【図７】
2015128005.tif 000009
【図８】
2015128005.tif 000010
【図９】
2015128005.tif 000011
【図１０】
2015128005.tif 000012
【図１１】
2015128005.tif 000013
【図１２】
2015128005.tif 000014
【図１３】
2015128005.tif 000015
【図１４】
2015128005.tif 000016
【図１５】
2015128005.tif 000017
【図１６】
2015128005.tif 000018
【図１７】
2015128005.tif 000019
【図１８】
2015128005.tif 000020
【図１９】
2015128005.tif 000021
【図２０】
2015128005.tif 000022
【図２１】
2015128005.tif 000023
【図２２】
2015128005.tif 000024
【図２３】
2015128005.tif 000025
【図２４】
2015128005.tif 000026
【図２５】
2015128005.tif 000027